(57)【要約】【課題】あらゆる場合に出力端末が出力する状態出力対象の状態を把握することが可能となる判定システムを提供すること。【解決手段】状態出力対象の状態を出力するカードケース４と、カードケース４との間で無線通信を行うことにより状態出力対象の状態を判定するサーバ装置３とを備える通信システム１００であって、サーバ装置３は、カードケース４との間で行われる無線通信の通信電波を送信又は受信する通信部３１と、通信部３１による無線通信に基づいて、状態出力対象の状態を判定する判定部３３１と、を備え、カードケース４は、通信電波を送信又は受信する通信部５１と、通信部５１と通信部３１との間で行われる無線通信の状態を変更することにより、カードケース４が出力する状態出力対象の状態を変更する可動遮蔽板と、を備え、可動遮蔽板は、通信電波を遮蔽又は通過させることにより、無線通信の状態を変更する。【選択図】図２
2019117996.tif 000002
【特許請求の範囲】
【請求項１】
状態出力対象の状態を出力する出力端末と、前記出力端末との間で無線通信を行うことにより前記状態出力対象の状態を判定する判定装置とを備える判定システムであって、
前記判定装置は、
前記出力端末との間で行われる無線通信の通信電波を送信又は受信する装置側通信手段と、
前記装置側通信手段による無線通信に基づいて、前記状態出力対象の状態を判定する判定手段と、を備え、
前記出力端末は、
前記通信電波を送信又は受信する端末側通信手段と、
前記端末側通信手段と前記装置側通信手段との間で行われる無線通信の状態を変更することにより、前記出力端末が出力する前記状態出力対象の状態を変更する変更手段と、を備え、
前記変更手段は、前記通信電波を遮蔽又は通過させることにより、当該無線通信の状態を変更する、
判定システム。
【請求項２】
前記変更手段は、電波を遮蔽する遮蔽材にて形成されており、
前記変更手段は、前記通信電波を遮蔽する遮蔽位置に移動した場合に、前記通信電波を遮蔽し、前記通信電波を通過させる通過位置に移動した場合に、前記通信電波を通過させる、
請求項１に記載の判定システム。
【請求項３】
前記変更手段は、ユーザ操作にてスライド移動させることにより、前記遮蔽位置又は前記通過位置に移動する、
請求項２に記載の判定システム。
【請求項４】
前記端末側通信手段は、各々が相互に独立して前記装置側通信手段との間で無線通信を行うように複数設けられており、
前記変更手段は、複数の前記端末側通信手段のうち、前記装置側通信手段との間で無線通信を行う端末側通信手段を変更することにより、前記出力端末が出力する前記状態出力対象の状態を変更する、
請求項１から３の何れか一項に記載の判定システム。
【請求項５】
前記判定装置は、前記判定手段の判定結果に基づいて、制御対象を制御する制御手段、を備える、
請求項１から４の何れか一項に記載の判定システム。
【請求項６】
前記出力端末は、カード形状であり、
前記変更手段は、平板形状である、
請求項１から５の何れか一項に記載の判定システム。
【請求項７】
前記端末側通信手段は、パッシブ型の通信手段である、
請求項１から６のいずれか一項に記載の判定システム。
【請求項８】
状態出力対象の状態を出力する出力端末と、前記出力端末との間で通信電波にて無線通信を行うことにより前記状態出力対象の状態を判定する判定装置とを備える判定システムの前記出力端末であって、
前記通信電波を送信又は受信する端末側通信手段と、
前記判定装置と前記端末側通信手段との間で行われる無線通信の状態を変更することにより、前記出力端末が出力する前記状態出力対象の状態を変更する変更手段と、を備え、
前記変更手段は、前記通信電波を遮蔽又は通過させることにより、当該無線通信の状態を変更する、
出力端末。
【発明の詳細な説明】
【技術分野】
【０００１】
本発明は、判定システム、及び出力端末に関する。
【背景技術】
【０００２】
従来、空調装置を自動的に制御する空調システムが提案されていた（例えば、特許文献１参照）。この特許文献１の空調システムにおいては、ユーザの机の周辺に設けられたタグリーダにて、ユーザが携帯しているＲＦＩＤタグを読み込めたか否かに基づいて、ユーザの状態（具体的には、ユーザが自席にいるか否かの状態）を把握して、空調装置を制御していた。
【先行技術文献】
【特許文献】
【０００３】
【特許文献１】特開２００９−２４９０６
【発明の概要】
【発明が解決しようとする課題】
【０００４】
しかしながら、特許文献１の空調システムにおいては、タグリーダにてＲＦＩＤタグ読み込めたか否かに基づいて把握しているのみであったので、タグリーダとＲＦＩＤとの間の距離の変化に対応して変化する状態（例えば、ＲＦＩＤタグを携帯しているユーザがタグリーダの周辺である自席にいるか否かの状態）を把握していたのみであり、例えば、タグリーダとＲＦＩＤタグとの間の距離が一定の位置においては状態の変化を把握することが困難であった。従って、タグリーダとＲＦＩＤタグとの間の距離が変化しない場合を含むあらゆる場合に状態を把握する観点において改善の余地があった。
【０００５】
本発明は上記事実に鑑み、あらゆる場合に出力端末が出力する状態出力対象の状態を把握することが可能となる判定システムを提供することを目的とする。
【課題を解決するための手段】
【０００６】
上述した課題を解決し、目的を達成するために、請求項１に記載の判定システムは、状態出力対象の状態を出力する出力端末と、前記出力端末との間で無線通信を行うことにより前記状態出力対象の状態を判定する判定装置とを備える判定システムであって、前記判定装置は、前記出力端末との間で行われる無線通信の通信電波を送信又は受信する装置側通信手段と、前記装置側通信手段による無線通信に基づいて、前記状態出力対象の状態を判定する判定手段と、を備え、前記出力端末は、前記通信電波を送信又は受信する端末側通信手段と、前記端末側通信手段と前記装置側通信手段との間で行われる無線通信の状態を変更することにより、前記出力端末が出力する前記状態出力対象の状態を変更する変更手段と、を備え、前記変更手段は、前記通信電波を遮蔽又は通過させることにより、当該無線通信の状態を変更する。
【０００７】
請求項２に記載の判定システムは、請求項１に記載の判定システムにおいて、前記変更手段は、電波を遮蔽する遮蔽材にて形成されており、前記変更手段は、前記通信電波を遮蔽する遮蔽位置に移動した場合に、前記通信電波を遮蔽し、前記通信電波を通過させる通過位置に移動した場合に、前記通信電波を通過させる。
【０００８】
請求項３に記載の判定システムは、請求項２に記載の判定システムにおいて、前記変更手段は、ユーザ操作にてスライド移動させることにより、前記遮蔽位置又は前記通過位置に移動する。
【０００９】
請求項４に記載の判定システムは、請求項１から３の何れか一項に記載の判定システムにおいて、前記端末側通信手段は、各々が相互に独立して前記装置側通信手段との間で無線通信を行うように複数設けられており、前記変更手段は、複数の前記端末側通信手段のうち、前記装置側通信手段との間で無線通信を行う端末側通信手段を変更することにより、前記出力端末が出力する前記状態出力対象の状態を変更する。
【００１０】
請求項５に記載の判定システムは、請求項１から４の何れか一項に記載の判定システムにおいて、前記判定装置は、前記判定手段の判定結果に基づいて、制御対象を制御する制御手段、を備える。
【００１１】
請求項６に記載の判定システムは、請求項１から５の何れか一項に記載の判定システムにおいて、前記出力端末は、カード形状であり、前記変更手段は、平板形状である。
【００１２】
請求項７に記載の判定システムは、請求項１から６のいずれか一項に記載の判定システムにおいて、前記端末側通信手段は、パッシブ型の通信手段である。
【００１３】
請求項８に記載の出力端末は、状態出力対象の状態を出力する出力端末と、前記出力端末との間で通信電波にて無線通信を行うことにより前記状態出力対象の状態を判定する判定装置とを備える判定システムの前記出力端末であって、前記通信電波を送信又は受信する端末側通信手段と、前記判定装置と前記端末側通信手段との間で行われる無線通信の状態を変更することにより、前記出力端末が出力する前記状態出力対象の状態を変更する変更手段と、を備え、前記変更手段は、前記通信電波を遮蔽又は通過させることにより、当該無線通信の状態を変更する。
【発明の効果】
【００１４】
請求項１に記載の判定システムによれば、通信電波を遮蔽又は通過させることにより、当該無線通信の状態を変更し、出力端末が出力する状態出力対象の状態を変更することにより、例えば、出力端末と判定装置との間の距離が変化するか否かに関わらず、出力端末が出力する状態出力対象の状態を変更することができるので、あらゆる場合に出力端末が出力する状態出力対象の状態を把握することが可能となる。特に、通信電波の遮蔽又は通過にて無線通信の状態を変更することができるので、例えば、各端末側通信手段（つまり、１つの端末側通信手段）から送信する電波の種類を変更することなく無線通信の状態を変更することができ、出力端末の構成をシンプル化することが可能となる。
【００１５】
請求項２に記載の判定システムによれば、変更手段が遮蔽位置に移動した場合に、通信電波を遮蔽し、変更手段が通過位置に移動した場合に、通信電波を通過させることにより、例えば、変更手段を移動させることにより出力端末が出力する状態出力対象の状態を変更することができるので、出力端末が出力する状態出力対象の状態を容易に変更することが可能となる。
【００１６】
請求項３に記載の判定システムによれば、ユーザ操作にてスライド移動させて、遮蔽位置又は通過位置に移動させることにより、例えば、スライド移動という極めて容易な操作にて出力端末が出力する状態出力対象の状態を変更することができるので、出力端末が出力する状態出力対象の状態を容易に変更することが可能となる。また、例えば、ユーザ操作にて出力端末が出力する状態出力対象の状態を変更することができるので、ユーザのあらゆる状態を把握することが可能となる。
【００１７】
請求項４に記載の判定システムによれば、端末側通信手段は、各々が相互に独立して装置側通信手段との間で無線通信を行うように複数設けられていることにより、例えば、各端末側通信手段から送信する電波の種類を相互に変更することにより、状態出力対象の状態を複数出力することが可能となる。
【００１８】
請求項５に記載の判定システムによれば、判定手段の判定結果に基づいて制御対象を制御することにより、例えば、状態出力対象の状態に応じて制御対象を制御することができるので、制御対象を適切に制御することが可能となる。
【００１９】
請求項６に記載の判定システムによれば、出力端末がカード形状であり、変更手段が平板形状であることにより、例えば、出力端末の携帯性を向上させることができるので、判定システムの使い勝手を向上させることが可能となる。
【００２０】
請求項７に記載の判定システムによれば、端末側通信手段がパッシブ型の通信手段であることにより、例えば、出力端末側に電池等が不要となるので、電池切れの心配なく利用できる使い勝手のよい出力端末を提供でき、また、コンパクトな出力端末を提供することができるので、判定システムの使い勝手を更に向上させることが可能となる。
【００２１】
請求項８に記載の出力端末によれば、通信電波を遮蔽又は通過させることにより、当該無線通信の状態を変更し、出力端末が出力する状態出力対象の状態を変更することにより、例えば、出力端末と判定装置との間の距離が変化するか否かに関わらず、出力端末が出力する状態出力対象の状態を変更することができるので、あらゆる場合に出力端末が出力する状態出力対象の状態を把握することが可能となる。特に、通信電波の遮蔽又は通過にて無線通信の状態を変更することができるので、例えば、各端末側通信手段（つまり、１つの端末側通信手段）から送信する電波の種類を変更することなく無線通信の状態を変更することができ、出力端末の構成をシンプル化することが可能となる。
【図面の簡単な説明】
【００２２】
【図１】本実施の形態に係る通信システムの配置図である。
【図２】通信システムのブロック図である。
【図３】カードケースの正面図である。
【図４】カードケースの背面図である。
【図５】カードケースの断面図である。
【図６】機器特定情報を例示した図である。
【図７】状態特定情報を例示した図である。
【図８】機器制御処理のフローチャートである。
【図９】状態取得処理のフローチャートである。
【図１０】図１に示すオフィスを各領域に分割した図である。
【発明を実施するための形態】
【００２３】
以下に添付図面を参照して、この発明に係る判定システム、及び出力端末の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２４】
〔Ｉ〕実施の形態の基本的概念
まず、実施の形態の基本的概念について説明する。実施の形態は、概略的に、判定システム、及び出力端末に関する。
【００２５】
ここで、「判定システム」とは、状態出力対象の状態を判定するためのシステムであり、例えば、状態出力対象の状態を判定する専用システム、あるいは、汎用システムに対して状態出力対象の状態を判定する機能を実装することによって実現されるシステム等を含む概念である。「判定システム」は、例えば、出力端末、及び判定装置を備える。
【００２６】
「出力端末」とは、状態出力対象の状態を出力する端末装置であり、例えば、状態出力対象によって保持されるものであって、一例としては、カードケース、カードケース以外の任意の物（例えば、携帯電話のケース、なんらの対象も収容しない装置等）等を含む概念であり、また、端末側通信手段、及び変更手段を備える。なお、「状態出力対象」とは、状態が出力される対象であり、例えば、ユーザ、扉、輸送される物、あるいは、台車等を含む概念である。「状態出力対象の状態」とは、状態出力対象のありさまであり、具体的には、変化し得るありさまであり、例えば、ユーザが感じている状態（例えば、温度について、寒い、暑い、快適等、湿度について、乾いている、多湿である、快適等、照明について暗すぎる、明るすぎる、丁度良い等）、ユーザの入退室の状態（例えば、ユーザが入室した状態、退室した状態）、扉の開閉状態（例えば、開いている状態、閉じている状態）、輸送される物又は台車の位置に関する状態（例えば、Ａ地点まで運ばれている状態、Ｂ地点まで運ばれている状態等）等を含む概念である。
【００２７】
また、「端末側通信手段」とは、通信電波を送信又は受信する手段であり、具体的には、判定装置との間で無線通信を行うものであり、例えば、１つのみ設けられるもの、あるいは、各々が相互に独立して判定装置との間で無線通信を行うように複数設けられるものであり、一例としては、アクティブ型の通信手段、又はパッシブ型の通信手段等を含む概念である。なお、「アクティブ型の通信手段」とは、自己が電池を備えているものであり、当該電池からの電力により通信を行う通信手段である。「パッシブ型の通信手段」とは、自己が電池を備えておらず、外部装置からの電波を受信して、受信した電波の電力により通信を行う通信手段である。
【００２８】
また、「変更手段」とは、端末側通信手段と後述する装置側通信手段との間で行われる無線通信の状態を変更することにより、出力端末が出力する状態出力対象の状態を変更する手段であり、具体的には、通信電波を遮蔽又は通過させることにより、当該無線通信の状態を変更する手段である。なお、「無線通信の状態を変更する」とは、無線通信に関連するありさまを変更することであり、例えば、無線通信が行われるか否かを変更すること、あるいは、無線通信が行われている場合において通信される情報を変更すること等を含む概念である。「通信電波」とは、無線通信を行うための電波である。
【００２９】
また、「変更手段」は、例えば、電波を遮蔽する遮蔽材にて形成されており、また、通信電波を遮蔽する遮蔽位置に移動した場合に、通信電波を遮蔽し、通信電波を通過させる通過位置に移動した場合に、通信電波を通過させる手段である。なお、「遮蔽材」とは、電波を遮蔽する材料であり、例えば、金属等を含む任意の材料である。「遮蔽位置」とは、変更手段の位置であり、具体的には、通信電波を遮蔽する位置であり、例えば、装置側通信手段に対して端末側通信手段を覆う位置であり、一例としては、端末側通信手段と装置側通信手段との間において端末側通信手段と対向する位置である。また、「通過位置」とは、変更手段の位置であり、具体的には、通信電波を遮蔽しない（通過させる）位置であり、例えば、装置側通信手段に対して端末側通信手段を覆わない位置（露出させる位置）であり、一例としては、端末側通信手段と対向しない位置である。
【００３０】
また、この変更手段の移動態様は任意であり、例えば、ユーザ操作にて移動させる態様、あるいは、ユーザ操作によらず任意のタイミングで自動的に移動させる態様等を含む概念であり、また、例えば、任意の回動軸を基準に回動移動させる態様、任意の方向にスライド移動させる態様等を含む概念である。また、この変更手段の形状は任意であり、例えば、平板形状、球形状、錐形状等として構成することが可能である。
【００３１】
また、「判定装置」とは、出力端末との間で無線通信を行うことにより状態出力対象の状態を判定する装置であり、例えば、サーバ装置として実現することができるものであり、一例としては、装置側通信手段、及び判定手段を備え、任意で制御手段を備える。
【００３２】
また、「装置側通信手段」とは、出力端末との間で行われる無線通信の通信電波を送信又は受信する手段であり、また、「判定手段」とは、装置側通信手段による無線通信に基づいて、状態出力対象の状態を判定する手段であり、また、「制御手段」とは、判定手段の判定結果に基づいて、制御対象を制御する手段である。なお、「制御対象」とは、制御の対象となるものであり、具体的には、状態出力対象の状態に関連し得るものであり、例えば、空調装置、照明装置、警報装置、及び位置管理装置等を含む概念である。
【００３３】
そして、以下に示す実施の形態では、「出力端末」がカードケースとして実現されており、また、「判定装置」がサーバ装置として実現されており、また、「状態出力対象」がカードケースを保持しているユーザであり、また、「状態出力対象の状態」がユーザが感じている状態であり、また、「端末側通信手段」がカードケースに複数設けられているパッシブ型の通信手段であり、また、「変更手段」がスライド移動可能となっている場合について説明する。具体的には、出力端末にて、オフィス内のユーザが感じている状態（例えば、温度、湿度、及び照明についての状態）を出力し、このユーザが感じている状態に基づいて、オフィス内の空調装置又は照明装置を制御する場合について説明する。
【００３４】
〔ＩＩ〕実施の形態の具体的内容
次に、実施の形態の具体的内容について説明する。
【００３５】
（構成）
まず、本実施の形態に係る通信システムの構成について説明する。図１は、本実施の形態に係る通信システムの配置図であり、図２は、通信システムのブロック図であり、図３は、カードケースの正面図であり、図４は、カードケースの背面図であり、図５は、カードケースの断面図である。なお、図５は、図４のＡＡ矢印から見た状態の断面図を図示している。また、図３〜図５に示すＸ―Ｙ―Ｚ方向が互いに直交する方向であり、具体的には、Ｙ方向が垂直方向であって、Ｘ方向及びＺ方向が垂直方向に対して直交する水平方向であるものとして、例えば、Ｙ方向を縦方向と称し、＋Ｙ方向を上側と称し、−Ｙ方向を下側と称し、Ｚ方向を厚み方向と称し、＋Ｚ方向を正面側と称し、−Ｚ方向を背面側と称して説明する。
【００３６】
（構成−通信システム）
図１の通信システム１００は、判定システムであり、例えば、オフィス内のユーザが感じている状態を出力し、このユーザが感じている状態に基づいて、オフィス内の空調装置１１〜１４又は照明装置２１〜２４を制御するシステムであり、例えば、空調装置１１〜１４、照明装置２１〜２４、サーバ装置３、及びカードケース４を備える。なお、通信システム１００に含まれる空調装置１１〜１４、照明装置２１〜２４、送信機３１１〜３１９の個数は任意であるが、ここでは、例えば、図示のものについて説明する。また、通信システム１００に含まれるカードケース４については、実際には、オフィス内にいるユーザ各々が１個ずつ保持しているので、当該ユーザの人数に対応する個数だけ存在するが、ここでは、説明の便宜上、カードケース４のみについて図示し、このカードケース４について主に説明し、また、カードケース４以外の他のカードケースについては、適宜説明する。
【００３７】
（構成−通信システム−空調装置）
図１の空調装置１１〜１４は、制御対象であり、オフィス内の温度又は湿度を調整する調整手段である。この空調装置１１〜１４の具体的な種類や構成は任意であるが、例えば、公知の熱交換器、除湿器、及び加湿器に対応する機能を備えるエアコンディショナとして構成することができる。また、空調装置１１〜１４は、例えば、オフィス内の複数の位置に設けられており、また、サーバ装置３によって制御されるように、当該サーバ装置３との間で通信可能となっていることとする。
【００３８】
（構成−通信システム−空調装置）
図１の照明装置２１〜２４は、制御対象であり、オフィス内の明るさを調整する調整手段である。この照明装置２１〜２４の具体的な種類や構成は任意であるが、例えば、公知の人口光源（例えば、ＬＥＤ、白熱球等）を用いて構成することができる。また、照明装置２１〜２４は、例えば、オフィス内の複数の位置に設けられており、また、サーバ装置３によって制御されるように、当該サーバ装置３との間で通信可能となっていることとする。
【００３９】
（構成−通信システム−サーバ装置）
図２のサーバ装置３は、判定装置であり、例えば、通信部３１、記録部３２、及び制御部３３を備える。
【００４０】
（構成−通信システム−サーバ装置−通信部）
通信部３１は、通信システム１００のカードケースとの間で通信を行う通信手段であり、特に、前述の装置側通信手段である。この通信部３１の具体的な種類や構成は任意であるが、例えば、図１の受信機３１０、及び送信機３１１〜３１９を備えて構成することができる。
【００４１】
（構成−通信システム−サーバ装置−通信部−受信機）
受信機３１０は、通信システム１００のカードケースからの電波（通信電波）を受信する受信手段であり、また、サーバ装置３の各部（記録部３２及び制御部３３）との間で通信する手段である。この受信機３１０の具体的な種類や構成は任意であるが、例えば、公知のアンテナ及び通信回路等を備えて構成することができる。なお、受信機３１０とサーバ装置３の各部とは、例えば、図１の通信線にて通信するように構成されていることとする。
【００４２】
（構成−通信システム−サーバ装置−通信部−送信機）
送信機３１１〜３１９は、通信システム１００のカードケースに対して電波（通信電波）を送信する送信手段であり、また、サーバ装置３の各部（記録部３２及び制御部３３）との間で通信する手段である。この送信機３１１〜３１９の具体的な種類や構成は任意であるが、例えば、各々の送信機３１１〜３１９が所定距離（例えば、５ｍ〜７ｍ程度等）だけ電波を出力できるように構成されており、また、図１に示すように所定間隔（例えば、５ｍ〜７ｍ程度等）毎にオフィス内の複数の位置に設けられていることとし、一例としては、公知のアンテナ及び通信回路等を備えて構成することができる。
【００４３】
（構成−通信システム−サーバ装置−記録部）
図２の記録部３２は、サーバ装置３の動作に必要なプログラム及び各種のデータを記録する記録手段である。この記録部３２は、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。この記録部３２には、例えば、機器特定情報、及び状態特定情報が記録されている。
【００４４】
（構成−通信システム−サーバ装置−記録部−機器特定情報）
「機器特定情報」とは、通信システム１００に含まれている機器を特定する情報である。図６は、機器特定情報を例示した図である。図６に示すように、機器特定情報は、項目「機器ＩＤ」、項目「種別情報」、及び項目「位置情報」と、各項目に対応する情報とを、相互に関連付けて構成されている。ここで、項目「機器ＩＤ」に対応する情報は、通信システム１００に含まれている機器を一意に識別する機器識別情報（以下、「識別情報」を「ＩＤ」と称する）である。ここでは、例えば、図１の送信機３１１〜３１９に対して機器ＩＤとして「ＩＤ３１１」〜「ＩＤ３１９」が設定されており、また、空調装置１１〜１４に対して機器ＩＤとして「ＩＤ１１」〜「ＩＤ１４」が設定されており、また、照明装置２１〜２４に対して機器ＩＤとして「ＩＤ２１」〜「ＩＤ２４」が設定されていることとし、図６では、これらの機器ＩＤが記録されていることとする。また、項目「種別情報」に対応する情報は、通信システム１００に含まれている機器の種別を特定する種別情報である（図６では、「送信機」、「空調装置」、及び「照明装置」である）。また、項目「位置情報」に対応する情報は、通信システム１００に含まれている機器が設けられている位置を特定する位置情報である（図６では、オフィスの建物の例えば通り芯を基準にした座標であり「（ｘ１１，ｙ１１）」等。なお、ここでの具体的な座標値については、便宜上のものとする）。そして、このような機器特定情報については、任意の手法で記録されるが、例えば、通信システム１００の管理者が、サーバ装置３の不図示の入力手段を介して情報を入力することにより、記録されることとする（後述する状態特定情報も同様とする）。
【００４５】
（構成−通信システム−サーバ装置−記録部−状態特定情報）
「状態特定情報」とは、状態出力対象の状態を特定する情報であり、具体的には、オフィス内のユーザが感じている状態を特定する情報である。図７は、状態特定情報を例示した図である。図７に示すように、状態特定情報は、項目「状態ＩＤ」、及び項目「状態情報」と、各項目に対応する情報とを、相互に関連付けて構成されている。ここで、項目「状態ＩＤ」に対応する情報は、オフィス内のユーザが感じている状態を一意に識別する状態ＩＤである（図７では、後述する通信システム１００のカードケースの各タグに記録されている状態ＩＤであって、「ＩＤｓ１」等）。また、項目「状態情報」に対応する情報は、オフィス内のユーザが感じている状態を特定する状態情報である。ここでは、図７では例えば、温度について、寒いことを示す「温度：寒」、暑いことを示す「温度：暑」、湿度について、乾いていることを示す「湿度：乾」、多湿であることを示す「多湿」、照明について明るすぎることを示す「明」、暗すぎることを示す「暗」等である。
【００４６】
（構成−通信システム−サーバ装置−制御部）
図２の制御部３３は、サーバ装置３を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（他の装置の制御部も同様とする）。
【００４７】
また、この制御部３３は、機能概念的に、判定部３３１、及び機器制御部３３２を備える。判定部３３１は、通信部３１による無線通信に基づいて、状態出力対象の状態を判定する判定手段であり、例えば、ユーザが感じている状態を判定する手段である。機器制御部３３２は、判定部３３１の判定結果に基づいて、制御対象を制御する制御手段であり、例えば、空調装置１１〜１４又は照明装置２１〜２４を制御する手段である。なお、この制御部３３の各部により行われる具体的な処理については後述する。
【００４８】
（構成−通信システム−カードケース）
図２のカードケース４は、出力端末であり、例えば、図４及び図５の本体部４１、スライド溝４２１〜４２３、可動遮蔽板４３１〜４３３、タグ４４１〜４４６、図５の固定遮蔽板６ａを備える。
【００４９】
（構成−通信システム−カードケース−本体部）
本体部４１は、カードケース４の外形を形成する形成手段である。この本体部４１の具体的な種類や構成は任意であるが、例えば、全体としてカード形状のものであって矩形形状のものであり、また、電波を通過させる任意の材料（例えば、樹脂等）にて形成されているものであり、また、内部に社員証の如き図５のカード６及び固定遮蔽板６ａを収容する中空部６００を備えるものであり、また、内部のカード６を外部から視認させるように少なくとも正面側（＋Ｚ方向）が透明となっているものである。また、不図示であるが、本体部４１の側面（例えば、−Ｘ方向）には、中空部６００にカード６を出し入れすることが可能な、落下防止蓋つきの開口部が設けられていることとする。
【００５０】
（構成−通信システム−カードケース−スライド溝）
スライド溝４２１〜４２３は、内部にタグ４４１〜４４６が設けられており且つ可動遮蔽板４３１〜４３３をスライド移動可能に設置する設置手段である。このスライド溝４２１〜４２３の具体的な種類や構成は任意であるが、例えば、本体部４１の背面側（−Ｚ方向）に３つ設けられているものであり、また、カードケース４の長辺に沿って設けられているものである。
【００５１】
（構成−通信システム−カードケース−可動遮蔽板）
可動遮蔽板４３１〜４３３は、前述の変更手段である。この可動遮蔽板４３１〜４３３の具体的な種類や構成は任意であり、相互に同様にして構成されていることとし、ここでは、可動遮蔽板４３１について主に説明する。可動遮蔽板４３１は、例えば、電波を遮蔽する任意の材料である遮蔽材（例えば、金属等）にて形成されているものであり、また、スライド溝４２１の一部のみに設けられる形状であって矩形平板形状であり、また、スライド溝４２１の内部でスライド溝４２１が延在する方向（Ｘ軸方向）に沿ってユーザの操作によりスライド移動するように構成されているものである。詳細には、この可動遮蔽板４３１は、左側（＋Ｘ方向）の端に移動させて、図４に示すようにタグ４４１のみと対向することにより、タグ４４１が送信又は受信する電波を遮蔽し、且つ、タグ４４２が送信又は受信する電波を通過させる位置（以下、左側位置）に移動可能となっており、また、（不図示であるが）右側（−Ｘ方向）の真ん中寄りの位置に移動させて、タグ４４１、４４２と対向することにより、タグ４４１、４４２が送信又は受信する電波を遮蔽する位置（以下、真ん中位置）に移動可能となっており、また、（不図示であるが）右側（−Ｘ方向）の端に移動させて、タグ４４２のみと対向することにより、タグ４４２が送信又は受信する電波を遮蔽し、且つ、タグ４４１が送信又は受信する電波を通過させる位置（以下、右側位置）に移動可能となっている。なお、ここで、タグ４４１に着目した場合、可動遮蔽板４３１の「左側位置」及び「真ん中位置」がタグ４４１に対する遮蔽位置に相当し、また、可動遮蔽板４３１の「右側位置」がタグ４４１に対する通過位置に相当する。このように、可動遮蔽板４３１をスライド移動させることにより、電波を送信又は受信するタグを変更することが可能となり、つまり、カードケース４における無線通信の状態を変更することが可能となる。
【００５２】
（構成−通信システム−カードケース−タグ）
タグ４４１〜４４６は、電波を送信又は受信する送受信手段である。このタグ４４１〜４４６の具体的な種類や構成は任意であるが、相互に同様にして構成されていることとし、ここでは、タグ４４１について主に説明する。タグ４４１は、例えば、いわゆるＩＤを埋め込んだＲＦＩＤ（Ｒａｄｉｏ  Ｆｒｅｑｕｅｎｃｙ  Ｉｄｅｎｔｉｆｉｅｒ）タグとして構成されているものであり、また、パッシブ型として構成されているものであり、また、全体としては矩形のものであり、また、スライド溝４２１において可動遮蔽板４３１よりも内部側（図５の＋Ｚ側）に任意の手段（例えば、接着剤等）で固定されているものであり、また、図２の通信部５１、記録部５２、及び制御部５３を備えるものである。
【００５３】
（構成−通信システム−カードケース−タグ−通信部）
通信部５１は、前述の端末側通信手段であって、パッシブ型の通信手段である。この通信部５１の具体的な種類や構成は任意であるが、例えば、公知のアンテナを備えて構成することができる。
【００５４】
（構成−通信システム−カードケース−タグ−記録部）
記録部５２は、タグ４４１の動作に必要なプログラム及び各種のデータを記録する記録手段である。この記録部５２は、例えば、フラッシュメモリ等の不揮発性の小型メモリを用いて構成することができる。この記録部５２には、例えば、ケースＩＤ、及び前述の状態ＩＤが記録されている。
【００５５】
ここで、「ケースＩＤ」とは、カードケース４を一意に識別するケースＩＤである。そして、通信システム１００の管理者が、任意の手法（例えば、読み書き装置を用いる手法等）で記録部にアクセスして、このタグ４４１の記録部５２及びタグ４４２〜４４６の不図示の記録部には、「ケースＩＤ」＝「ＩＤｃ１」が共通して記録されていることとする。また、同様にして、このタグ４４１の記録部５２には、「状態ＩＤ」＝「ＩＤｓ１」（図７参照）が記録されており、タグ４４２の不図示の記録部には、「状態ＩＤ」＝「ＩＤｓ２」が記録されており、また、タグ４４３の不図示の記録部には、「状態ＩＤ」＝「ＩＤｓ３」が記録されており、また、タグ４４４の不図示の記録部には、「状態ＩＤ」＝「ＩＤｓ４」が記録されており、また、タグ４４５の不図示の記録部には、「状態ＩＤ」＝「ＩＤｓ５」が記録されており、また、タグ４４６の不図示の記録部には、「状態ＩＤ」＝「ＩＤｓ６」が記録されていることとする。
【００５６】
そして、このように記録されている状態ＩＤをサーバ装置３側に出力することにより、ユーザが自己の状態を報知することが可能となるので、タグ４４１〜４４６に記録されている状態ＩＤと前述の可動遮蔽板４３１〜４３３について、以下の情報がユーザ側にて任意の手法で明らかになっていることとする。
【００５７】
具体的には、タグ４４１、４４２については、温度についての状態を示しており、可動遮蔽板４３１が「左側位置」に移動された場合（タグ４４２のみが通信可能となっている場合）、暑いことを示しており、また、可動遮蔽板４３１が「真ん中位置」に移動された場合（タグ４４１、４４２が通信不可能となっている場合）、快適であることを示しており、また、可動遮蔽板４３１が「右側位置」に移動された場合（タグ４４１のみが通信可能となっている場合）、寒いことを示しているという情報が明らかになっていることとする。また、タグ４４３、４４４については、湿度についての状態を示しており、可動遮蔽板４３２が「左側位置」に移動された場合（タグ４４４のみが通信可能となっている場合）、多湿であることを示しており、また、可動遮蔽板４３２が「真ん中位置」に移動された場合（タグ４４３、４４４が通信不可能となっている場合）、快適であることを示しており、また、可動遮蔽板４３２が「右側位置」に移動された場合（タグ４４３のみが通信可能となっている場合）、乾いてことを示しているという情報が明らかになっていることとする。また、タグ４４５、４４６については、照明についての状態を示しており、可動遮蔽板４３３が「左側位置」に移動された場合（タグ４４６のみが通信可能となっている場合）、暗すぎることを示しており、また、可動遮蔽板４３３が「真ん中位置」に移動された場合（タグ４４５、４４６が通信不可能となっている場合）、丁度よいことを示しており、また、可動遮蔽板４３３が「右側位置」に移動された場合（タグ４４５のみが通信可能となっている場合）、明るすぎることを示しているという情報が明らかになっていることとする。
【００５８】
なお、これらの情報を明らかにする手法は任意であり、例えば、操作マニュアル等を用いて明らかにしてもよいし、可動遮蔽板４３１〜４３３に当該情報を記載して明らかにしてもよいし、あるいは、図４の本体部４１におい各スライド溝４２１〜４２３の図面上側（＋Ｙ方向）の部分に情報を記載する領域を設けた上で、この領域に情報を記載して明らかにしてもよい。
【００５９】
（構成−通信システム−カードケース−タグ−制御部）
制御部５３は、タグ４４１を制御する制御手段である。なお、この制御部５３の各部の具体的な処理については後述する。
【００６０】
（構成−通信システム−カードケース−固定遮蔽板）
図５の固定遮蔽板６ａは、電波を遮蔽する遮蔽手段である。固定遮蔽板６ａの具体的な種類や構成は任意であるが、例えば、可動遮蔽板４３１〜４３３と同様な材料にて構成されているものであり、例えば、正面側（＋Ｚ芳香）においてタグ４４１〜４４６が送信又は受信する電波を遮蔽するように少なくともタグ４４１〜４４６と対向するように例えば、カード６と同様な矩形形状のものであり、また、中空部６００においてカード６よりも内部側（図５では、−Ｚ方向）に設けられているものである。
【００６１】
（処理）
次に、このように構成される通信システム１００によって実行される機器制御処理について説明する。図８は、機器制御処理のフローチャートである（以下の各処理の説明ではステップを「Ｓ」と略記する）。「機器制御処理」とは、概略的には、サーバ装置３によって実行される処理であり、例えば、ユーザが感じている状態を判定して、判定結果に基づいて空調装置１１〜１４、及び照明装置２１〜２４を制御する処理である。この機器制御処理を起動するタイミングは任意であるが、例えば、サーバ装置３の電源をオンした場合に処理の実行が開始されることとし、処理の実行が開始された後から説明する。なお、実際には、図１のオフィス内には多数のユーザが存在し、このユーザの人数に対応する個数だけカードケースがオフィス内に設けられていることになるが、各カードケースとサーバ装置３との間で行われる処理については相互に同様であるので、カードケース４のみに着目して説明し、また、必要に応じてカードケース４以外のカードケースに関する処理についても説明する。また、例えば、図１に示す位置のユーザが、社員証であるカード６を収容した状態で当該カードケース４を保持している場合について説明する。また、例えば、カードケース４のユーザが、温度について暑いと感じ、また、湿度について乾燥していると感じ、また、照明について丁度良いと感じて、図４に示すように可動遮蔽板４３１〜４３３をスライド移動させた場合を例示して説明する。
【００６２】
まず、図８のＳＡ１において制御部３３は、状態情報及び当該状態情報に対応するユーザの場所を各ユーザ単位で取得する。図９は、状態取得処理のフローチャートである。「状態取得処理」とは、状態情報及びユーザの場所を取得する処理であり、通信システム１００の各ユーザが感じている状態を示す状態情報及び当該ユーザの場所を取得する処理である。ＳＡ１について具体的には任意であるが、例えば、図９の状態取得処理を起動する。
【００６３】
この図９のＳＢ１において制御部３３は、送信機を１つ選択する。具体的には任意であるが、例えば、図６の機器特定情報を参照して、未だ選択していない送信機を選択する。ここでは、例えば、図６の上から順次選択することとし、ここでは、「機器ＩＤ」＝「ＩＤ３１１」に対応する送信機３１１を選択する。
【００６４】
図９のＳＢ２において制御部３３は、ＳＢ１で選択した送信機から電波を送信させる。具体的には任意であるが、例えば、図６の機器特定情報を参照して、ＳＢ１で選択した送信機に対応する機器ＩＤを取得し、取得した機器ＩＤを含む電波送信命令（電波を送信させるための命令）を送信機３１１〜３１９に送信する。一方、送信された送信機３１１〜３１９は、電波送信命令を受信し、受信した電波送信命令から機器ＩＤを取得し、取得した機器ＩＤと自己に設定されている機器ＩＤとを比較し、これらが相互に合致する場合に、電波を送信する。
【００６５】
ここでは、例えば、図６の機器特定情報を参照して、ＳＢ１で選択した送信機３１１に対応する機器ＩＤとして「ＩＤ３１１」を取得し、取得した「ＩＤ３１１」を含む電波送信命令を送信機３１１〜３１９に送信する。一方、送信された送信機３１１〜３１９は、電波送信命令を受信し、受信した電波送信命令から「ＩＤ３１１」を取得し、送信機３１１のみが、取得した「ＩＤ３１１」と自己に設定されている機器ＩＤが相互に合致するので、電波を送信し、また、送信機３１２〜３１９は電波を送信しない。そして、この送信機３１１からの電波は、図１において送信機３１１を中心にして所定距離（例えば、５ｍ〜７ｍ程度等）の範囲（円の範囲）内にのみ到達することになるが、図１に図示するカードケース４に到達することになる。
【００６６】
この場合、カードケース４のタグ４４２、４４３は、この送信機３１１の電波からの電力により以下の処理を行う。具体的にはタグ４４２については、当該タグ４４２の不図示の制御部が、不図示の通信部にて受信した電波によって起動し、不図示の記録部の「ケースＩＤ」＝「ＩＤｃ１」及び「状態ＩＤ」＝「ＩＤｓ２」を取得し、取得したこれらの情報を示す電波を生成して、生成した電波を通信部を介して送信するが、この送信した電波が図１の受信機３１０に到達することになる。また、タグ４４３についは、同様に、当該タグ４４３の不図示の制御部が、不図示の通信部にて受信した電波によって起動し、不図示の記録部の「ケースＩＤ」＝「ＩＤｃ１」及び「状態ＩＤ」＝「ＩＤｓ３」を取得し、取得したこれらの情報を示す電波を生成して、生成した電波を通信部を介して送信するが、この送信した電波が図１の受信機３１０に到達することになる。一方、タグ４４１、４４４、４４５、４４６については、可動遮蔽板４３１〜４３３により遮蔽されているので、送信機３１１からの電波を受信しないので、起動されない状態のままとなる。
【００６７】
図９のＳＢ３において制御部３３は、電波を受信したか否かを判定する。具体的には任意であるが、例えば、通信部３１を監視して、ＳＢ１を実行してから所定時間（例えば、３秒〜５秒等）以内に少なくとも「ケースＩＤ」及び「状態ＩＤ」を示す電波を受信したか否かに基づいて判定する。そして、所定時間以内に当該電波を受信しなかった場合、電波を受信しなかったものと判定し、所定時間以内に当該電波を受信した場合、電波を受信したものと判定する。ここでは、例えば、「ケースＩＤ」＝「ＩＤｃ１」及び「状態ＩＤ」＝「ＩＤｓ２」を示す電波、及び「ケースＩＤ」＝「ＩＤｃ１」及び「状態ＩＤ」＝「ＩＤｓ３」を示す電波を受信することになり、電波を受信したものと判定する。
【００６８】
図９のＳＢ４において制御部３３は、情報を記録する。具体的には任意であるが、例えば、ＳＢ１で選択した送信機の機器ＩＤ、図３の判定結果（電波を受信したか否か）、及びＳＡ３にて電波を受信したものと判定した場合には、当該受信した電波が示す情報（ケースＩＤ及び状態ＩＤ）を特定し、特定したこれらの情報を関連付けて記録部３２に記録する。
【００６９】
ここでは、例えば、「選択した送信機の機器ＩＤ」＝「ＩＤ３１１」、「判定結果」＝「受信した」、「受信した電波を示す情報」である「ケースＩＤ」＝「ＩＤｃ１」及び「状態ＩＤ」＝「ＩＤｓ２」、「ケースＩＤ」＝「ＩＤｃ１」及び「状態ＩＤ」＝「ＩＤｓ３」を相互に関連付けて記録する。
【００７０】
図９のＳＢ５において制御部３３は、状態取得処理を終了するか否かを判定する。具体的には任意であるが、例えば、ＳＢ１にて、通信システム１００の全ての送信機を選択したか否かに基づいて判定する。詳細には、ＳＢ１で選択した送信機に対応する機器ＩＤを、記録部３２に記録することとし、この記録した機器ＩＤの全てと図６の送信機の機器ＩＤの全てが一致しているか否かに基づいて判定することとする。そして、記録した機器ＩＤの全てと図６の送信機の機器ＩＤの全てとが一致していない場合、状態取得処理を終了しないものと判定し（ＳＢ５のＮＯ）、ＳＢ１に移行する。また、記録した機器ＩＤの全てと図６の送信機の機器ＩＤの全てとが一致している場合、状態取得処理を終了するものと判定し（ＳＢ５のＹＥＳ）、ＳＢ６に移行する。
【００７１】
ここでは、例えば、ＳＢ１にて送信機３１１が選択されたのみであり、送信機３１２〜３１９が未だ選択されていないので、状態取得処理を終了しないものと判定して、ＳＢ１に移行する。このＳＢ１にて、送信機３１２を選択し、ＳＢ２にて「ＩＤ３１２」を含む電波送信命令を送信機３１１〜３１９に送信するが、送信機３１２のみが電波を送信し、当該電波がカードケース４に到達することになる。この場合、カードケース４のタグ４４２、４４３は、前述と同様な処理を行い、ＳＢ３にて電波を受信したものと判定し、ＳＢ４にて、例えば、「選択した送信機の機器ＩＤ」＝「ＩＤ３１２」、「判定結果」＝「受信した」、「受信した電波を示す情報」である「ケースＩＤ」＝「ＩＤｃ１」及び「状態ＩＤ」＝「ＩＤｓ２」、「ケースＩＤ」＝「ＩＤｃ１」及び「状態ＩＤ」＝「ＩＤｓ３」を相互に関連付けて記録する。この後、送信機３１３〜３１９から電波を送信させる処理を行うことになるが、例えば、当該電波はカードケース４に到達せずに、繰り返し行われるＳＢ４にて、「選択した送信機の機器ＩＤ」＝「ＩＤ３１３」〜「ＩＤ３１９」、「判定結果」＝「受信しなかった」が記録されることになり、ＳＢ６に移行する。
【００７２】
図９のＳＢ６において制御部３３は、ユーザの場所を特定する。具体的には任意であるが、例えば、送信機３１１〜３１９の電波が所定距離（例えば、５ｍ〜７ｍ程度等）の範囲（円の範囲）内にのみ到達し、当該範囲内にカードケースが存在する場合には、当該カードケースに対応するケースＩＤを示す電波を受信すること、及び図６の機器特定情報にて送信機３１１〜３１９の位置情報を特定することが可能であることに着目して、以下のように処理する。詳細には、繰り返し行ったＳＢ４で記録した情報を取得し、「ケースＩＤ」が共通する情報を選択し、選択した情報において、「判定結果」＝「受信した」に関連付けられている「選択した送信機の機器ＩＤ」を取得し、図６の機器ＩＤ及び位置情報を参照して、この取得した「選択した送信機の機器ＩＤ」に対応する位置情報を取得し、この位置情報及び前述の電波が到達する範囲に着目して、当該「ケースＩＤ」に対応するカードケース４のユーザの場所を特定する。
【００７３】
ここでは、例えば、「ケースＩＤ」＝「ＩＤｃ１」に関連する情報を選択し、選択した情報において、「判定結果」＝「受信した」に関連付けられている「選択した送信機の機器ＩＤ」として「ＩＤ３１１」及び「ＩＤ３１２」を取得し、図６の機器ＩＤ及び位置情報を参照して、この取得した「ＩＤ３１１」及び「ＩＤ３１２」対応する位置情報として「（ｘ１１，ｙ１１）」及び「（ｘ１２，ｙ１１）」を取得し、図１において、送信機３１１、３１２の電波のみが到達する範囲として送信機３１１、３１２の間の範囲をユーザの場所の候補として特定し、また、送信機３１４、３１５の電波が到達していないので送信機３１１、３１２の図面上側の領域をユーザの場所として特定することにより、図１のユーザの場所を特定する。なお、実際には、この特定するユーザの場所については、ユーザの場所の範囲（例えば、半径１ｍ〜１．５ｍ程度の範囲等）として特定することができるが、この範囲自体をユーザの場所として特定してもよいし、あるいは、この範囲の中心点をユーザの場所として特定してもよい。
【００７４】
図９のＳＢ７において制御部３３は、状態情報及び当該状態情報に対応するユーザの場所を各ユーザ単位で取得する。具体的には任意であるが、繰り返し行ったＳＢ４で記録した情報を取得し、ＳＢ６で場所を特定したユーザのカードケースのケースＩＤに対応する状態ＩＤを取得し、図７の状態ＩＤ及び状態情報を参照して、取得した状態ＩＤに対応する状態情報を特定し、特定した状態情報を取得し、また、当該状態情報に対応するユーザのＳＢ６で特定した場所を取得する。この処理を、ＳＢ４で記録したケースＩＤに着目してユーザ毎に行う。
【００７５】
ここでは、例えば、「ケースＩＤ」＝「ＩＤｃ１」のユーザについて、「状態ＩＤ」＝「ＩＤｓ２」、「ＩＤｓ３」を取得した上で、図７の「状態情報」＝「温度：暑」、「湿度：乾」を取得し、また、ＳＢ６で特定した図１のユーザの場所を取得する。なお、このユーザの場所については、前述したようにＳＢ６では範囲として特定してもよいし、当該範囲の中心点として特定してもよいしが、中心点として特定する場合について例示し、このＳＢ７では当該ユーザの場所の範囲の中心点の座標を取得する。これにて、状態取得処理をリターンする。
【００７６】
図８のＳＡ２において判定部３３１は、状態出力対象の状態としてユーザが感じているの状態を判定する。具体的には任意であるが、例えば、ＳＡ１（具体的には図９のＳＢ７）で取得した状態情報について、ケースＩＤに着目して各ユーザ毎に取得し、取得した状態情報に基づいて各ユーザが感じているの状態を判定する。ここでは、例えば、「ケースＩＤ」＝「ＩＤｃ１」のユーザについて、図７の「状態情報」＝「温度：暑」、「湿度：乾」を取得した上で、このユーザが感じている状態として、温度について「暑い」と感じており、また、湿度について「乾いている」と感じていると判定する。
【００７７】
図８のＳＡ３において機器制御部３３２は、ＳＡ２の判定結果に基づいて、制御対象である空調装置１１〜１４を制御する。具体的には任意であるが、例えば、ＳＡ２の判定結果のうちの温度及び湿度に関連するものから、各ユーザが感じている温度及び湿度の状態を把握することができる点、ＳＡ１（具体的には図９のＳＢ７）で取得したユーザの場所からユーザが現在いる場所を特定できる点、及び図６の空調装置の位置情報により図１の空調装置１１〜１４の位置を特定できる点に着目し、また、空調装置１１〜１４各々が比較的大きく温度又は湿度の調整に貢献できる領域（以下、空調担当領域）を空調装置１１〜１４の位置から特定できる点に着目して以下の処理を行う。
【００７８】
図１０は、図１に示すオフィスを各領域に分割した図である。ＳＡ３について詳細には、まず、図６の空調装置の位置情報を参照して空調装置１１〜１４の位置を特定し、特定した位置を基準に当該位置がほぼ中心となるようにオフィス内の領域を分割し、分割した各領域を空調担当領域とする。次に、ＳＡ２の温度及び湿度の判定結果、ＳＡ１（具体的には図９のＳＢ７）で取得したユーザの場所を取得し、前述の各空調担当領域単位で感じている状態についてのユーザの人数を集計する。次に、ユーザが感じている状態に応じて空調装置１１〜１４を制御する。
【００７９】
ここでは、例えば、図６の空調装置の位置情報を参照して空調装置１１〜１４の位置を特定し、特定した位置を基準に当該位置がほぼ中心となるようにオフィス内の領域を図１０の第１領域Ｒ１〜第４領域Ｒ４等に分割し、分割した第１領域Ｒ１〜第４領域Ｒ４を空調装置１１〜１４の空調担当領域とする。次に、ＳＡ２の温度及び湿度の判定結果及び、ＳＡ１（具体的には図９のＳＢ７）で取得したユーザの場所を取得し、前述の各空調担当領域単位で感じている状態についてのユーザの人数を集計するが、例えば、図１０に図示するユーザについては、第１領域Ｒ１において、温度について「暑い」と感じているユーザが１人であり、また、湿度について「乾いている」と感じているユーザが１人であると集計し、不図示のユーザを含めて第１領域Ｒ１〜第４領域Ｒ４各々について集計する。次に、ユーザが感じている状態に応じて空調装置１１〜１４を制御するが、空調装置１１〜１４の制御は相互に同様な手法で制御を行うこととし、空調装置１１の制御について主に説明する。
【００８０】
詳細には、第１領域Ｒ１において、温度について「暑い」と感じているユーザの人数、「寒い」と感じているユーザの人数を取得し、取得した人数を比較し、人数が多い方の状態を特定し、特定結果に基づいて制御する。そして、「暑い」と感じているユーザの人数の方が多い場合、温度が下がるように、空調装置１１の設定温度を下げる制御を行い、また、「寒い」と感じているユーザの人数の方が多い場合、温度が上がるように、空調装置１１の設定温度を上げる制御を行う。なお、ここでの設定温度の変化の幅は任意であるが、例えば、徐々に変化させる観点から、比較的小さい変化の幅である所定幅が予め定められており、この所定幅だけ変化させるようにしてもよい。（湿度、ＳＡ４の照度についても同様とする）。ここでは、例えば、温度について「暑い」と感じているユーザの人数が「８人」で、「寒い」と感じているユーザの人数が「３人」である場合、温度について「暑い」と感じているユーザの人数の方が多いので、空調装置１１の設定温度を下げる制御を行う。そして、第２領域Ｒ２〜第４領域Ｒ４について同様な処理を行って、空調装置１２〜１４を制御する（後述する湿度についても同様とする）。
【００８１】
また、第１領域Ｒ１において、湿度について「乾いている」と感じているユーザの人数、「多湿である」と感じているユーザの人数を取得し、取得した人数を比較し、人数が多い方の状態を特定し、特定結果に基づいて制御する。そして、「乾いている」と感じているユーザの人数の方が多い場合、湿度が上がるように、空調装置１１の設定湿度を上げる制御を行い、また、「多湿である」と感じているユーザの人数の方が多い場合、湿度が下がるように、空調装置１１の設定湿度を下げる制御を行う。ここでは、例えば、「乾いている」と感じているユーザの人数が「５人」で、「多湿である」と感じているユーザの人数が「６人」である場合、「多湿である」と感じているユーザの人数の方が多いので、空調装置１１の設定湿度を下げる制御を行う。
【００８２】
図８のＳＡ４において機器制御部３３２は、ＳＡ２の判定結果に基づいて、制御対象である照明装置２１〜２４を制御する。具体的には任意であるが、例えば、ＳＡ２の判定結果のうちの照明に関連するものから、各ユーザが感じている照明の状態を把握することができる点、ＳＡ１（具体的には図９のＳＢ７）で取得したユーザの場所からユーザが現在いる場所を特定できる点、及び図６の空調装置の位置情報により図１の照明装置２１〜２４の位置を特定できる点に着目し、また、照明装置２１〜２４各々が比較的大きく明るさの調整に貢献できる領域（以下、照明担当領域）を照明装置２１〜２４の位置から特定できる点に着目して以下の処理を行う。
【００８３】
ＳＡ４について詳細には、まず、図６の照明装置の位置情報を参照して照明装置２１〜２４の位置を特定し、特定した位置を基準に当該位置がほぼ中心となるようにオフィス内の領域を分割し、分割した各領域を照明担当領域とする。次に、ＳＡ２の照明の判定結果、ＳＡ１（具体的には図９のＳＢ７）で取得したユーザの場所を取得し、前述の各照明担当領域単位で感じている状態についてのユーザの人数を集計する。次に、ユーザが感じている状態に応じて照明装置２１〜２４を制御する。
【００８４】
ここでは、例えば、図６の照明装置の位置情報を参照して照明装置２１〜２４の位置を特定し、特定した位置を基準に当該位置がほぼ中心となるようにオフィス内の領域を図１０の第１領域Ｒ１〜第４領域Ｒ４等に分割し、分割した第１領域Ｒ１〜第４領域Ｒ４を空調装置１１〜１４の照明担当領域とする。なお、ここでの照明担当領域は前述の空調担当領域については、説明の便宜上共通となっているが、相互に異なる領域としてもよい。次に、ＳＡ２の照明の判定結果及び、ＳＡ１（具体的には図９のＳＢ７）で取得したユーザの場所を取得し、前述の各照明担当領域単位で感じている状態についてのユーザの人数を集計する。次に、ユーザが感じている状態に応じて照明装置２１〜２４を制御するが、照明装置２１〜２４の制御は相互に同様な手法で制御を行うこととし、照明装置２１の制御について主に説明する。
【００８５】
詳細には、第１領域Ｒ１において、照明について「明るすぎる」と感じているユーザの人数、「暗すぎる」と感じているユーザの人数を取得し、取得した人数を比較し、人数が多い方の状態を特定し、特定結果に基づいて制御する。そして、「明るすぎる」と感じているユーザの人数の方が多い場合、暗くなるように、照明装置２１の設定照度を下げる制御を行い、また、「暗すぎる」と感じているユーザの人数の方が多い場合、明るくなるように、照明装置２１の設定照度を上げる制御を行う。ここでは、例えば、照明について「明るすぎる」と感じているユーザの人数が「８人」で、「暗すぎる」と感じているユーザの人数が「３人」である場合、照明について「明るすぎる」と感じているユーザの人数の方が多いので、照明装置２１の設定照度を下げる制御を行う。そして、第２領域Ｒ２〜第４領域Ｒ４について同様な処理を行って、照明装置２２〜２４を制御する。これにて、機器制御処理を終了する。
【００８６】
（本実施の形態の効果）
本実施の形態によれば、通信電波を遮蔽又は通過させることにより、当該無線通信の状態を変更し、カードケース４が出力する状態出力対象の状態を変更することにより、例えば、カードケース４とサーバ装置３との間の距離が変化するか否かに関わらず、カードケース４が出力する状態出力対象の状態を変更することができるので、あらゆる場合にカードケース４が出力する状態出力対象の状態を把握することが可能となる。特に、通信電波の遮蔽又は通過にて無線通信の状態を変更することができるので、例えば、タグ４４１〜４４６の通信部（つまり、１つの通信部）から送信する電波の種類を変更することなく無線通信の状態を変更することができ、カードケース４の構成をシンプル化することが可能となる。
【００８７】
また、可動遮蔽板４３１〜４３３が遮蔽位置に移動した場合に、通信電波を遮蔽し、可動遮蔽板４３１〜４３３が通過位置に移動した場合に、通信電波を通過させることにより、例えば、可動遮蔽板４３１〜４３３を移動させることによりカードケース４が出力する状態出力対象の状態を変更することができるので、カードケース４が出力する状態出力対象の状態を容易に変更することが可能となる。
【００８８】
また、ユーザ操作にてスライド移動させて、遮蔽位置又は通過位置に移動させることにより、例えば、スライド移動という極めて容易な操作にてカードケース４が出力する状態出力対象の状態を変更することができるので、カードケース４が出力する状態出力対象の状態を容易に変更することが可能となる。また、例えば、ユーザ操作にてカードケース４が出力する状態出力対象の状態を変更することができるので、ユーザのあらゆる状態を把握することが可能となる。
【００８９】
また、タグ４４１〜４４６の通信部は、各々が相互に独立して通信部３１との間で無線通信を行うように複数設けられていることにより、例えば、各タグ４４１〜４４６の通信部から送信する電波の種類を相互に変更することにより、状態出力対象の状態を複数出力することが可能となる。
【００９０】
また、判定部３３１の判定結果に基づいて制御対象を制御することにより、例えば、状態出力対象の状態に応じて制御対象を制御することができるので、制御対象を適切に制御することが可能となる。
【００９１】
また、カードケース４がカード形状であり、可動遮蔽板４３１〜４３３が平板形状であることにより、例えば、カードケース４の携帯性を向上させることができるので、通信システム１００の使い勝手を向上させることが可能となる。
【００９２】
また、タグ４４１〜４４６の通信部がパッシブ型の通信手段であることにより、例えば、カードケース４側に電池等が不要となるので、電池切れの心配なく利用できる使い勝手のよいカードケース４を提供でき、また、コンパクトなカードケース４を提供することができるので、通信システム１００の使い勝手を更に向上させることが可能となる。
【００９３】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００９４】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００９５】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。また、本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。
【００９６】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００９７】
（制御について（その１））
また、上記実施の形態の図８のＳＡ３の処理を任意に変更してもよく、以下のように変更してもよい。例えば、ユーザが温度について快適であると感じて、図４の可動遮蔽板４３１を「真ん中位置」に移動させることにより、タグ４４１、４４２の両方が遮蔽された場合には、このタグ４４１、４４２による無線通信が行われずに、前述の人数に集計されないことになること着目して、大多数のユーザが快適であると感じているにも関わらず空調装置１１の設定温度を変化させることになる可能性を防止する観点から、以下のように処理してもよい。具体的には、オフィス内のユーザの合計人数を予め記録しておき、ＳＢ３において、温度について「暑い」と感じているユーザの人数、「寒い」と感じているユーザの人数を取得し、取得した人数を比較し、人数が多い方の状態を特定し、特定した状態の人数が前述の記録した合計人数の所定比率（例えば、３割〜４割程度）よりも多い場合にのみ、設定温度を変更するように構成してもよい。なお、湿度及び照明についても同様としてもよい。
【００９８】
（制御について（その２））
また、上記実施の形態の図８のＳＡ３及びＳＡ４では、オフィスを複数の領域に分割して、分割した領域毎に制御対象を制御する場合について説明したが、複数の領域に分割せずに、オフィス全体として制御対象を制御してもよい。
【００９９】
（制御について（その３））
また、上記実施の形態の図８のＳＡ３及びＳＡ４では、設定を変更することにより制御する場合について説明したが、動作及び不動作を制御してもよい。
【０１００】
（タグについて（その１））
また、上記実施の形態の図８のＳＡ２においては、図４の各タグの情報をサーバ装置３で取得し、取得した情報に基づいて（つまり、無線通信が行われている場合において通信される情報に基づいて）ユーザが感じている状態を判定する場合について説明したが、これに限らず以下のように判定してもよい。各タグの情報をサーバ装置３で取得できたか否かに基づいて（つまり、無線通信が行われるか否かに基づいて）、ユーザが感じている状態を判定してもよい。例えば、図４に示すように可動遮蔽板４３３を「真ん中位置」に移動させることにより、タグ４４５、４４６の両方が遮蔽された場合には、照明に関する情報をサーバ装置３にて取得できなくなるが、このように取得できなかった場合に、照明について「丁度よい」と判定してもよい。
【０１０１】
（タグについて（その２））
また、前述の「（タグについて（その１））」で説明したように、無線通信が行われるか否かに基づいてユーザが感じている状態を判定する場合、例えば、図４のカードケース４の可動遮蔽板４３１〜４３３を全て「真ん中位置」に移動された状態と、カードケース４をオフィスの外部に持ち出して各送信機からの電波が届かなくなっている状態とを区別する必要があるが、この場合、任意の手法で区別してもよい。例えば、遮蔽板にて遮蔽されず常に通信可能となるタグをカードケース４に設けて、このタグとの通信状態を監視して区別してもよい。
【０１０２】
（タグについて（その３））
また、上記実施の形態の図４のカードケース４においては、１つのタグにて１つの状態の情報を出力する場合について説明したが、例えば、１つのタグにて２つ以上の状態の情報を出力するように構成してもよし、また、２つ以上のタグにて１つの状態の情報を出力するように構成してもよい。
【０１０３】
（場所の特定について（その１））
また、上記実施の形態の送信機が出力する電波の強度、送信機の位置、送信機の個数（配置密度）を任意に変更して、ユーザの場所を特定する精度を調整してもよい。
【０１０４】
（場所の特定について（その２））
また、上記実施の形態では、送信機と受信機を相互に別体として設けて、カードケース４の場所を特定する場合について説明したが、これに限らず、公知の技術（例えば、１つの装置にてタグの読み書きが可能なＲＦＩＤリーダーライターを複数配置する技術等）を含む任意の技術を用いて場所を特定してもよい。
【０１０５】
（付記）
付記１の判定システムは、状態出力対象の状態を出力する出力端末と、前記出力端末との間で無線通信を行うことにより前記状態出力対象の状態を判定する判定装置とを備える判定システムであって、前記判定装置は、前記出力端末との間で行われる無線通信の通信電波を送信又は受信する装置側通信手段と、前記装置側通信手段による無線通信に基づいて、前記状態出力対象の状態を判定する判定手段と、を備え、前記出力端末は、前記通信電波を送信又は受信する端末側通信手段と、前記端末側通信手段と前記装置側通信手段との間で行われる無線通信の状態を変更することにより、前記出力端末が出力する前記状態出力対象の状態を変更する変更手段と、を備え、前記変更手段は、前記通信電波を遮蔽又は通過させることにより、当該無線通信の状態を変更する。
【０１０６】
付記２の判定システムは、付記１に記載の判定システムにおいて、前記変更手段は、電波を遮蔽する遮蔽材にて形成されており、前記変更手段は、前記通信電波を遮蔽する遮蔽位置に移動した場合に、前記通信電波を遮蔽し、前記通信電波を通過させる通過位置に移動した場合に、前記通信電波を通過させる。
【０１０７】
付記３の判定システムは、付記２に記載の判定システムにおいて、前記変更手段は、ユーザ操作にてスライド移動させることにより、前記遮蔽位置又は前記通過位置に移動する。
【０１０８】
付記４の判定システムは、付記１から３の何れか一項に記載の判定システムにおいて、前記端末側通信手段は、各々が相互に独立して前記装置側通信手段との間で無線通信を行うように複数設けられており、前記変更手段は、複数の前記端末側通信手段のうち、前記装置側通信手段との間で無線通信を行う端末側通信手段を変更することにより、前記出力端末が出力する前記状態出力対象の状態を変更する。
【０１０９】
付記５の判定システムは、付記１から４の何れか一項に記載の判定システムにおいて、前記判定装置は、前記判定手段の判定結果に基づいて、制御対象を制御する制御手段、を備える。
【０１１０】
付記６の判定システムは、付記１から５の何れか一項に記載の判定システムにおいて、前記出力端末は、カード形状であり、前記変更手段は、平板形状である。
【０１１１】
付記７の判定システムは、付記１から６のいずれか一項に記載の判定システムにおいて、前記端末側通信手段は、パッシブ型の通信手段である。
【０１１２】
付記８に記載の出力端末は、状態出力対象の状態を出力する出力端末と、前記出力端末との間で通信電波にて無線通信を行うことにより前記状態出力対象の状態を判定する判定装置とを備える判定システムの前記出力端末であって、前記通信電波を送信又は受信する端末側通信手段と、前記判定装置と前記端末側通信手段との間で行われる無線通信の状態を変更することにより、前記出力端末が出力する前記状態出力対象の状態を変更する変更手段と、を備え、前記変更手段は、前記通信電波を遮蔽又は通過させることにより、当該無線通信の状態を変更する。
【０１１３】
（付記の効果）
付記１に記載の判定システムによれば、通信電波を遮蔽又は通過させることにより、当該無線通信の状態を変更し、出力端末が出力する状態出力対象の状態を変更することにより、例えば、出力端末と判定装置との間の距離が変化するか否かに関わらず、出力端末が出力する状態出力対象の状態を変更することができるので、あらゆる場合に出力端末が出力する状態出力対象の状態を把握することが可能となる。特に、通信電波の遮蔽又は通過にて無線通信の状態を変更することができるので、例えば、各端末側通信手段（つまり、１つの端末側通信手段）から送信する電波の種類を変更することなく無線通信の状態を変更することができ、出力端末の構成をシンプル化することが可能となる。
【０１１４】
付記２に記載の判定システムによれば、変更手段が遮蔽位置に移動した場合に、通信電波を遮蔽し、変更手段が通過位置に移動した場合に、通信電波を通過させることにより、例えば、変更手段を移動させることにより出力端末が出力する状態出力対象の状態を変更することができるので、出力端末が出力する状態出力対象の状態を容易に変更することが可能となる。
【０１１５】
付記３に記載の判定システムによれば、ユーザ操作にてスライド移動させて、遮蔽位置又は通過位置に移動させることにより、例えば、スライド移動という極めて容易な操作にて出力端末が出力する状態出力対象の状態を変更することができるので、出力端末が出力する状態出力対象の状態を容易に変更することが可能となる。また、例えば、ユーザ操作にて出力端末が出力する状態出力対象の状態を変更することができるので、ユーザのあらゆる状態を把握することが可能となる。
【０１１６】
付記４に記載の判定システムによれば、端末側通信手段は、各々が相互に独立して装置側通信手段との間で無線通信を行うように複数設けられていることにより、例えば、各端末側通信手段から送信する電波の種類を相互に変更することにより、状態出力対象の状態を複数出力することが可能となる。
【０１１７】
付記５に記載の判定システムによれば、判定手段の判定結果に基づいて制御対象を制御することにより、例えば、状態出力対象の状態に応じて制御対象を制御することができるので、制御対象を適切に制御することが可能となる。
【０１１８】
付記６に記載の判定システムによれば、出力端末がカード形状であり、変更手段が平板形状であることにより、例えば、出力端末の携帯性を向上させることができるので、判定システムの使い勝手を向上させることが可能となる。
【０１１９】
付記７に記載の判定システムによれば、端末側通信手段がパッシブ型の通信手段であることにより、例えば、出力端末側に電池等が不要となるので、電池切れの心配なく利用できる使い勝手のよい出力端末を提供でき、また、コンパクトな出力端末を提供することができるので、判定システムの使い勝手を更に向上させることが可能となる。
【０１２０】
付記８に記載の出力端末によれば、通信電波を遮蔽又は通過させることにより、当該無線通信の状態を変更し、出力端末が出力する状態出力対象の状態を変更することにより、例えば、出力端末と判定装置との間の距離が変化するか否かに関わらず、出力端末が出力する状態出力対象の状態を変更することができるので、あらゆる場合に出力端末が出力する状態出力対象の状態を把握することが可能となる。特に、通信電波の遮蔽又は通過にて無線通信の状態を変更することができるので、例えば、各端末側通信手段（つまり、１つの端末側通信手段）から送信する電波の種類を変更することなく無線通信の状態を変更することができ、出力端末の構成をシンプル化することが可能となる。
【符号の説明】
【０１２１】
３  サーバ装置
４  カードケース
６  カード
６ａ  固定遮蔽板
１１  空調装置
１２  空調装置
１３  空調装置
１４  空調装置
２１  照明装置
２２  照明装置
２３  照明装置
２４  照明装置
３１  通信部
３２  記録部
３３  制御部
４１  本体部
５１  通信部
５２  記録部
５３  制御部
１００  通信システム
３１１  送信機
３１２  送信機
３１３  送信機
３１４  送信機
３１５  送信機
３１６  送信機
３１７  送信機
３１８  送信機
３１９  送信機
３１０  受信機
３３１  判定部
３３２  機器制御部
４２１  スライド溝
４２２  スライド溝
４２３  スライド溝
４３１  可動遮蔽板
４３２  可動遮蔽板
４３３  可動遮蔽板
４４１  タグ
４４２  タグ
４４３  タグ
４４４  タグ
４４５  タグ
４４６  タグ
６００  中空部
Ｒ１  第１領域
Ｒ２  第２領域
Ｒ３  第３領域
Ｒ４  第４領域
【図１】
2019117996.tif 000003
【図２】
2019117996.tif 000004
【図３】
2019117996.tif 000005
【図４】
2019117996.tif 000006
【図５】
2019117996.tif 000007
【図６】
2019117996.tif 000008
【図７】
2019117996.tif 000009
【図８】
2019117996.tif 000010
【図９】
2019117996.tif 000011
【図１０】
2019117996.tif 000012